(57)【要約】【課題】塗膜転写具の使用中期から使用終期において、塗膜転写時に転写テープの張力を緩和して、軽い押圧力で塗膜を転写可能とし、転写テープの走行不良が発生しない塗膜転写具の提供。【解決手段】基材テープ上に塗膜を設けた転写テープを巻いた繰出コアから転写テープを繰出し、転写ヘッドで塗膜を被転写体に押圧して転写し、繰出コアと巻取コア間に掛けたベルトにより繰出コアと巻取コアを連動回転させて、塗膜転写後の基材テープを巻取コアに巻取る塗膜転写具であって、次の（ア）と（イ）の特徴を有する塗膜転写具。（ア）両コア間に掛けられたベルトの張力Ｐよりも張力を増加させる張力増加手段を有する。（イ）塗膜転写時に転写ヘッドに加えられる押圧力によって、張力増加手段が解除される。前記解除によってベルトの張力が張力Ｐに戻る。【選択図】図１
2014136309.tif 000002
【特許請求の範囲】
【請求項１】
基材テープ上に塗膜を設けた転写テープを巻いた繰出コアから転写テープを繰出し、転写ヘッドで前記塗膜を被転写体に押圧して転写し、前記繰出コアと巻取コア間に掛けたベルトにより前記繰出コアと前記巻取コアを連動回転させて、塗膜転写後の基材テープを前記巻取コアに巻取る塗膜転写具であって、次の（ア）と（イ）の特徴を有する塗膜転写具。
（ア）前記両コア間に掛けられたベルトの張力Ｐよりも張力を増加させる張力増加手段を有する。
（イ）塗膜転写時に前記転写ヘッドに加えられる押圧力によって、前記張力増加手段が解除される。前記解除によってベルトの張力が張力Ｐに戻る。
【請求項２】
前記転写ヘッドに加えられる押圧力により前記転写ヘッドが変形及び／又は移動することにより、前記張力増加手段が解除されて、前記ベルトの張力が張力Ｐになることを特徴とする請求項１に記載の塗膜転写具。
【請求項３】
前記張力増加手段の構成部品として、弾性体が設けられていることを特徴とする請求項１〜２に記載の塗膜転写具。
【請求項４】
前記張力増加手段はローラが回転可能に設けられ、前記ベルトと前記ローラが接触することを特徴とする請求項１〜３に記載の塗膜転写具。
【発明の詳細な説明】
【技術分野】
【０００１】
本発明は、文字修正用塗膜、接着用粘着膜、装飾用塗膜等を被転写体に押圧転写するための塗膜転写具の技術分野に属し、特に、繰出コアと巻取コアがベルトで連動回転させられるベルト駆動式の塗膜転写具の技術分野に属する。
【背景技術】
【０００２】
図５は、従来の塗膜転写具１の構成を説明するための概略正面図である。この塗膜転写具１は、支軸１２，１４を具えたケース７、ケース７から外部に突出する転写ヘッド４、各支軸１２，１４に回転可能に保持された繰出コア２と巻取コア３、及び基材テープ表面に塗膜が塗布された転写テープＴからなり、ケース７の開口部はカバー（図示せず。）で覆われている。転写テープＴは繰出コア２に巻回されており、繰出コア２から引出された転写テープＴは、転写ヘッド４において塗膜と基材テープとに別れ、塗膜が被転写体に転写され、基材テープだけが巻取コア３に巻取られるようになっている。繰出コア２と巻取コア３が互いに連動して回転するように、両コア２，３にはベルトＸが掛けられている。
【０００３】
この塗膜転写具１では、塗膜の転写時に基材テープの巻取り長さが転写テープの繰出し長さより長くなるように両コア２，３を回転させ、転写テープＴに適度な張力を掛けることによって、転写テープＴが弛まないようにしている。転写テープの使用終期には、繰出コアに巻かれた転写テープのパンケーキの外径が小さくなるので、転写テープに大きな張力がかかるようになる。その場合にはベルトＸと巻取コア３との間にスリップが生じることによって、転写テープＴに掛けられる張力を逃がしている。ベルトと巻取コアがスリップするときのトルクは「スリップトルク」と呼ぶ。また、転写テープが使用されておらず、繰出コアの転写テープパンケーキ外径が大きい状態を「使用初期」と呼び、転写テープが使用されて繰出コアの転写テープパンケーキ外径が小さくなった状態を「使用終期」と呼ぶ。
【０００４】
図６は、塗膜転写終了直後における転写ヘッド部分の拡大図である。図６（ａ）は転写テープに適度な張力が掛けられている状態である。図６（ｂ）は転写テープが弛んでいる状態である。図６（ａ）に示すように、転写テープに適度な張力が掛けられていると、転写終了直後の塗膜の切れが良いが、図６（ｂ）に示すように、転写ヘッド部分において転写テープが弛むと、塗膜の切れが悪くなり、良好な転写が行なえない。そのため、通常の塗膜転写具では、転写テープが弛まないように、スリップトルクが設計されている。
【０００５】
上記の通り、従来の塗膜転写具１では、使用終期に転写テープに大きな張力がかかる。そうなると、塗膜を被転写体に転写する際、転写ヘッドを被転写体に強く押して転写作業をする必要がある。使用者によっては転写不良の問題が発生していた。
【０００６】
そこで、スリップトルクを小さく設計して、使用終期においても転写テープに大きな張力が掛からないようにする対策が考えられる。例えば、使用初期から終期に亘って小さな力で転写テープを引出せる程度にスリップトルクを小さくすると、使用初期に転写テープが弛むという問題が発生する。転写ヘッド部分で転写テープが弛むと、図６（ｂ）に示すように、転写終了直後の塗膜の切れが悪くなる問題が発生する。
【０００７】
一方、繰出コアの外径を十分に大きくしておけば、使用初期と終期における繰出コアのパンケーキ外径の差を小さくすることができるため、スリップトルクを大きく設計しても、繰出コアのパンケーキ外径の減少差を小さくして、転写テープの張力の増加を抑えることができる。しかし、繰出コアの外径を大きくすると、塗膜転写具が大型化してしまうという問題がある。
【０００８】
このような問題を解決するために、転写ヘッドに加えられた押圧力により、繰出コアと巻取コアの軸間距離を短くする塗膜転写具が特許文献１と特許文献２により提案されている。両コアの軸間距離が短くなるとベルトの張力が低下するため、これらの塗膜転写具では、塗膜を転写する際に転写ヘッドを押圧することによって、転写テープの張力を緩和して軽い押圧操作で転写することができる。
【０００９】
しかしながら、特許文献1と特許文献２の塗膜転写具では、繰出コアと巻取コアの軸間距離を短くするために、繰出コア又は巻取コアが移動するので、次の（ア）と（イ）に示すような問題があった。
（ア）コアの移動により、繰出コアから巻取コアまでの転写テープが走行するテープルート長さが変化する。このため、転写テープが弛んで転写テープが走行不良を起すことがあった。
（イ）コアの移動時にコアが傾くことがあり、巻取コアで転写テープが巻き乱れ、転写テープが走行不良を起すことがあった。
【先行技術文献】
【特許文献】
【００１０】
【特許文献１】特開２００２−２８３７９５公報
【特許文献２】特開２００９−２８５８８３公報
【発明の概要】
【発明が解決しようとする課題】
【００１１】
本発明は、塗膜転写具の使用中期から使用終期において、塗膜転写時に転写テープの張力を緩和して、軽い押圧力で塗膜を転写可能とし、転写テープの走行不良が発生しない塗膜転写具を提供することを目的とする。
【課題を解決するための手段】
【００１２】
第１発明は、 基材テープ上に塗膜を設けた転写テープを巻いた繰出コアから転写テープを繰出し、転写ヘッドで前記塗膜を被転写体に押圧して転写し、前記繰出コアと巻取コア間に掛けたベルトにより前記繰出コアと前記巻取コアを連動回転させて、塗膜転写後の基材テープを前記巻取コアに巻取る塗膜転写具であって、次の（ア）と（イ）の特徴を有する塗膜転写具である。
（ア）前記両コア間に掛けられたベルトの張力Ｐよりも張力を増加させる張力増加手段を有する。
（イ）塗膜転写時に前記転写ヘッドに加えられる押圧力によって、前記張力増加手段が解除される。前記解除によってベルトの張力が張力Ｐに戻る。
【００１３】
第２発明は、前記転写ヘッドに加えられる押圧力により前記転写ヘッドが変形及び／又は移動することにより、前記張力増加手段が解除されて、前記ベルトの張力が張力Ｐになることを特徴とする第１発明の塗膜転写具である。
【００１４】
第３発明は、前記張力増加手段の構成部品として、弾性体が設けられていることを特徴とする第１〜第２発明の塗膜転写具である。            
【００１５】
第４発明は、前記張力増加手段はローラが回転可能に設けられ、前記ベルトと前記ローラが接触することを特徴とする第１〜第３発明の塗膜転写具である。
【発明の効果】
【００１６】
本発明の塗膜転写具は軽い押圧力で塗膜を転写可能とし、転写テープの走行不良が発生しないものである。
【図面の簡単な説明】
【００１７】
【図１】本発明の第１実施形態の塗膜転写具Ａを示す。
【図２】本発明の第２実施形態の塗膜転写具Ｂを示す。
【図３】本発明の第３実施形態の塗膜転写具Ｃを示す。
【図４】本発明の第４実施形態の塗膜転写具Ｄを示す。張力増加手段のベルトＸとの接触部にローラＲを用いた実施形態図である。図４（ａ）はローラ部分の拡大斜視図である。
【図５】従来の塗膜転写具の構成を説明するための図であり、カバーを取り外した状態の正面図である。
【図６】塗膜転写終了直後における転写ヘッド部分の拡大図である。
【図７】使用初期及び終期において塗膜を転写するために必要な転写押圧力の測定において、被転写体に対する塗膜転写具の角度を示す図である。
【図８】従来の塗膜転写具１と本発明の第１実施形態である塗膜転写具Ａの転写テープの張力の模式グラフである。
【発明を実施するための形態】
【００１８】
図１に、本発明の第１実施形態の塗膜転写具Ａを示す。図１（ａ）、図１（ｂ）はカバーを取外した状態の正面図である。図１（ａ）は未使用時の状態を示している。図１（ｂ）は使用時に転写ヘッド４Ａが押圧されて変形し、変形に連動して張力増加手段５Ａが転写ヘッド４Ａ方向から塗膜転写具内部方向に向って移動した状態を示している。図１（ｃ）と図１（ｄ）は、それぞれ図１（ａ）と図１（ｂ）の転写ヘッド４Ａ部分の拡大図である。
【００１９】
この塗膜転写具Ａは、張力増加手段を設けた以外は、従来の塗膜転写具と同様の構成である。
【００２０】
張力増加手段５Ａは、転写ヘッド４Ａの方向と塗膜転写具内部方向との間を移動できるように、転写ヘッド４Ａの近くに取り付けられている。張力増加手段は転写ヘッドと連結されている。また、塗膜転写時の押圧による転写ヘッドの変形に連動して、張力増加手段は転写ヘッド方向と塗膜転写具内部方向との間を往復移動する。
【００２１】
張力増加手段５Ａの塗膜転写具内部の一端は、Ｔ字形状をしている。転写ヘッドが押圧されていない図１（ａ）に示す状態では、張力増加手段は繰出コアと巻取コア間に掛けられたベルトＸとＴ字形状先端の２点で接触し、ベルトを押し広げてベルトの張力を増加させている。一方、転写ヘッド４Ａが塗膜を転写するために押圧されて変形している図１（ｂ）に示す状態では、張力増加手段５ＡはベルトＸを押し広げていない。
【００２２】
図１（ｂ）の状態では、張力増加手段が解除される。すると、ベルトの張力が小さくなりＰとなる。このＰは従来の塗膜転写具のベルトの張力よりも小さく設計されている。ベルトの張力が小さくなると、転写テープの張力も小さくなる。転写テープの張力が小さくなると繰出コアから転写テープを引き出す力が小さくなる。よって、軽い押圧力で塗膜を転写することができる。
【００２３】
塗膜転写具の使用後は図１（ａ）の状態になり、張力増加手段によって、ベルトの張力は張力Ｐよりも大きな値になる。この大きな値は従来の塗膜転写具のベルトの張力よりも大きく設計される。この設計により、転写テープの張力（塗膜が転写後の基材テープの張力も含む）は従来の塗膜転写具の転写テープの張力よりも大きくなる。つまり、塗膜を転写し、転写ヘッドが被転写体から離れた瞬間にベルトの張力は増加し、同時に転写テープの張力も増加するので、塗膜の切れは良好となる。
【００２４】
また、ベルトの張力の低下手段として、コアを移動する方式をとらないので、転写テープの走行不良が発生しない。
【００２５】
図８に従来の塗膜転写具１と塗膜転写具Ａの転写テープの張力を比較する模式のグラフを示す。グラフの横軸は塗膜転写具の使用された転写テープの長さを示す。グラフの縦軸は転写テープの張力を示している。グラフ左端は前記使用初期であり、右端は前記使用終期である。
【００２６】
図８のグラフ中の３本の曲線Ｍ，Ｌ，Ｓは、それぞれ次に示す転写テープの使用初期から使用終期に至る張力変化の推移を示している。
【００２７】
曲線Ｍ：従来の塗膜転写具１の使用時の転写テープの張力。
【００２８】
曲線Ｌ：図１（ａ）の状態の転写テープの張力である。ベルトの張力は、従来の塗膜転写具の張力よりも大きい値となっている。
【００２９】
曲線Ｓ：図１（ｂ）の状態の転写テープの張力である。ベルトの張力は、従来の塗膜転写具の張力よりも小さい値となっている。
【００３０】
塗膜転写具Ａでは、転写テープの張力は、図８のグラフ中に示す曲線Ｌと曲線Ｓの間で変化する。すなわち、塗膜の転写時には、転写ヘッドが押圧されて変形することにより、転写テープの張力は曲線Ｌから曲線Ｓに低下する。使用直後に転写ヘッドの押圧が解除されると、曲線Ｓから曲線Ｌに増大する。
【００３１】
曲線Ｓの使用初期の値が小さすぎると、転写テープの斜行及び巻き取り不良による走行不良が発生するので、走行不良が発生しない値に設計する。
【００３２】
また、図８のグラフに示すように使用終期でも使用初期と同様に、塗膜転写具Ａの転写テープの張力は、転写ヘッドを被転写体に押圧して変形させることにより、ＬからＳに低下する。したがって、塗膜転写具Ａでは、使用終期においても、転写テープの張力を従来の塗膜転写具１よりも小さくすることができて、軽い押圧力で塗膜を転写できる。
【００３３】
図１の張力増加手段５Ａと転写ヘッド４Ａは以下のような構造で連動する。張力増加手段５Ａと転写ヘッド４Ａの連結部分は、張力増加手段５Ａに設けられた軸５６Ａと、転写ヘッド４Ａに設けられた長孔４４Ａで構成されている。軸５６Ａは長孔４４Ａに係合され、長孔４４Ａに沿って移動可能となっている。長孔４４Ａと軸５６Ａはケース７Ａ側とカバー側の相対する２箇所に設けられる。
【００３４】
転写ヘッド４Ａを被転写体に押圧することによって転写ヘッド４Ａが変形すると、転写ヘッド４Ａに設けられた長孔４４Ａもこれに伴って移動する。長孔４４Ａが移動すると、軸５６Ａは長孔４４Ａ内をすべって移動する。長孔４４Ａの形状は、軸５６Ａの前記長孔４４Ａに対する移動によって、軸５６Ａを転写ヘッド４Ａの方向から塗膜転写具内部方向へ押し込むように形成されている。軸５６Ａの移動に伴って、張力増加手段５Ａが転写ヘッドの方向からの塗膜転写具の内部方向に向かって移動する。また、転写ヘッド４Ａの押圧が解除されて転写ヘッド４Ａの変形が元に戻ると、軸５６Ａは長孔４４Ａに対して前記と反対方向に移動するので、張力増加手段５Ａは塗膜転写具の内部方向から転写ヘッド４Ａの方向に向かって移動する。
【００３５】
図２に、本発明の第２実施形態による塗膜転写具Ｂを示す。図２（ａ）、図２（ｂ）はカバーを取外した状態の正面図である。図２（ａ）は未使用時の状態を示している。図２（ｂ）は使用時に転写ヘッド４Ｂが押圧されて変形し、変形に連動して張力増加手段５Ｂが転写ヘッド４Ｂの方向から塗膜転写具の内部方向に向かって移動した状態を示している。
【００３６】
塗膜転写具Ｂは、張力増加手段５Ｂを塗膜転写具の内部方向から転写ヘッド４Ｂ方向に向かって押すコイルスリング６Ｂが塗膜転写具内部に設けられている。転写ヘッド４Ｂと張力増加手段５Ｂは連結されていない。それ以外の構成は、塗膜転写具Ａと同様である。
【００３７】
塗膜転写具Ｂでは、転写ヘッド４Ｂが押圧されて変形すると、転写ヘッド４Ｂが張力増加手段５Ｂを押して、コイルスプリング６Ｂが短くなり、ベルトの張力が低下する。
【００３８】
塗膜転写具Ｂでは、弾性部材としてコイルスプリングを使用しているが、弾性部材であれば特に限定されず、ゴムやエラストマーを使用してもよい。
【００３９】
図３に、本発明の第３実施形態による塗膜転写具Ｃを示す。図３（ａ）、図３（ｂ）はカバーを取外した状態の正面図である。図３（ａ）は未使用時の状態を示している。図３（ｂ）は使用時に転写ヘッド４Ｃが押圧されて回転移動し、回転移動に連動して張力増加手段５Ｃが回転移動した状態を示している。図３（ｃ）と図３（ｄ）は、それぞれ図３（ａ）と図３（ｂ）の張力増加手段５Ｃ部分の拡大図である。
【００４０】
塗膜転写具Ｃは、張力増加手段５Ｃと転写ヘッド４Ｃの形状、転写ヘッドと
張力増加手段が取り付けられる部分のケースの形状、及び一体型の弾性片が使用されてい
るところ以外は、塗膜転写具Ｂと同様の構成である。
【００４１】
ケース７Ｃに設けられたヘッド取付軸７１Ｃをヘッド取付孔４１Ｃへ挿入す
ることにより、転写ヘッド４Ｃはケース７Ｃに保持されるとともに、ヘッド取付軸７１Ｃ
を中心に回転可能となっている。ただし、ケース７Ｃに設けられた第１ストッパ７２Ｃと
第２ストッパ７５Ｃで回転範囲を規制している。
【００４２】
ケース７Ｃに設けられた増加手段取付軸７３Ｃを増加手段取付孔５１Ｃへ挿
入することにより、張力増加手段５Ｃはケース７Ｃに保持されるとともに、増加手段取付
軸７３Ｃを中心に回転可能となっている。
【００４３】
張力増加手段５Ｃには弾性片５２Ｃが一体に設けられ、弾性片５２Ｃの先端
に設けられた第１係合片５３Ｃがケース７Ｃに一体に設けられた係合枠７４Ｃと係合して
いる。図３（ａ）の状態で、弾性片５２Ｃには弾性片が伸びる方向に力が作用している。
この力により、張力増加手段５Ｃには、増加手段取付軸７３Ｃを中心として反時計回りの
力が作用している。張力増加手段５Ｃに一体に設けられた第２係合片５４Ｃが転写ヘッド
４Ｃに押し当っているため、図３（ａ）の状態を維持している。
【００４４】
張力増加手段５Ｃには張力増加リブ５５Ｃが一体に設けられている。図３（
ａ）に示す通常の状態では、繰出コアと巻取コア間に張力Ｐで張られたベルトＸは、張力
増加リブ５５Ｃによって押し広げられ、ベルトの張力はＰより大きくなっている。
【００４５】
塗膜を転写するために、転写ヘッドを押圧すると、図３（ｂ）のようになり、張力増加手段が解除されベルトの張力が小さくなる。ベルトの張力が小さくなることににより転写テープの張力が小さくなり、軽い押圧力で塗膜を転写することができる。
【００４６】
転写ヘッド４Ｃが押圧され、張力増加手段５Ｃが増加手段取付軸７３Ｃを中
心に時計回りに回転すると、弾性片５２Ｃは弾性変形するが、弾性片５２Ｃの変形量が弾
性限度を超えると弾性片５２Ｃは破壊するおそれがある。このような場合には弾性片５２
Ｃの変形量を弾性限度内とするために、張力増加手段５Ｃの回転を規制するストッパを設
けるとよい。本実施形態では、このストッパとして、ケース７Ｃに第２ストッパ７５Ｃを
設けている。
【００４７】
塗膜転写具Ｃでは、プラスチック製の弾性片５２Ｃのかわりに、コイルスプ
リングや板バネ等を使用することもできる。
【００４８】
塗膜転写具Ａ、Ｂ、Ｃでは、張力増加手段５Ａ、５Ｂ、５ＣのベルトＸと接
触する部分はリブなどの固定形状となっているが、ベルトと接触する部分に回転するロ
ーラを用いてもよい。ローラを用いることによって、ベルトの摺動抵抗を小さくするこ
とができる。
【００４９】
図４の塗膜転写具Ｄは、塗膜転写具Ａにおいて張力増加手段のベルトＸとの接触部にローラを用いたものである。
【００５０】
上記の発明品の塗膜転写具の説明では、転写ヘッドの押圧力によって、張力増加手段を解除して使用することを前提に述べた。しかし、通常、使用初期においては、張力増加手段が解除されないで、塗膜が転写される。使用中期においては、張力増加手段が半解除の状態になる場合もありえる。
【００５１】
使用終期においては、繰出コアから転写テープを引き出す力が大きくなるので、転写ヘッドの押圧力を大きくしないと、転写テープを引き出せなくなる。そのため、必然的に張力増加手段が解除され、従来品の塗膜転写具より軽い押圧力で塗膜を転写することができる。
【実施例】
【００５２】
本発明の実施例１〜４として、図１〜図４に示す本発明の第１〜第４実施形態の塗膜転写具Ａ、Ｂ、Ｃ、及びＤを準備した。また、比較例１，２として図５に示す従来の塗膜転写具１において、使用するベルトのみが異なる２種の塗膜転写具ａと塗膜転写具ｂを準備した。
【００５３】
各塗膜転写具に使用するベルトは、従来の塗膜転写具１内で繰出コアと巻取コアに掛けた時の張力が表１に示す張力となるＯリングを使用した。Ｏリングの張力の測定には、砂川精機株式会社製スプリングテスター（型番ＳＰＤ−５Ｍ−２１９４）を使用した。Ｏリングを所定のフック間に掛け、塗膜転写具１内で繰出コアと巻取コアに掛けた時の長さまで引張し、そのときのＯリングの張力を測定した。
【００５４】
塗膜転写具Ａ、Ｂ、Ｃ、Ｄの張力増加手段は、張力増加手段によりベルトの張力を増加した状態で、ベルトの張力が１．４７Ｎ（１５０ｇ）となるように調整した。
【００５５】
塗膜転写具Ａ、Ｂ、Ｃ、Ｄの張力増加手段は、図７に示すようにして転写ヘッドを押圧した場合に、転写ヘッドに作用する押圧力が７．３５Ｎ（７５０ｇ）となれば、張力増加手段が解除されるように調整した。
【００５６】
実施例１〜４、比較例１，２の塗膜転写具を使用して下記の評価をした。
（１）使用初期の塗膜の切れ性
○ ：図６（ａ）のように、塗膜が被転写体から全く浮き上がらなく、切れが良好であった。
×：図６（ｂ）のように、塗膜が被転写体から浮き上がり、切れが悪かった。
（２）転写押圧力の測定
図７の角度で被転写体（ＰＰＣ用紙）に塗膜を転写した際の転写ヘッドの転写押圧力を台座付きの秤で測定した。また、実施例１〜４の塗膜転写具については、転写押圧力の測定時に、張力増加手段が解除されているか否かも合わせて目視で確認した。測定は使用初期と使用終期の２点とした。ここで、転写押圧力とは、転写テープを引き出すために転写ヘッドを被転写体に押圧する必要最低荷重を示す。
（３）転写テープの走行性
転写テープの全長を転写させて、転写テープの走行性を評価した。実施例１〜４の塗膜転写具は、転写テープの全長にわたって、張力増加手段を解除した転写ヘッドの押圧力で、塗膜を転写して評価した。
○ ：全長において、転写テープの走行性は安定していた。
×：全長において、転写テープの走行性が不安定であった。
【００５７】
【表１】
2014136309.tif 000003
【００５８】
評価結果は表１の通りであった。実施例１〜４の塗膜転写具は比較例１の塗膜転写具に比べ、転写テープの全長において、小さい押圧力で塗膜を転写できた。
【符号の説明】
【００５９】
１，Ａ，Ｂ，Ｃ，Ｄ，ａ，ｂ：塗膜転写具
１２，１４：支軸
２：繰出コア
３：巻取コア
４，４Ａ，４Ｂ，４Ｃ：転写ヘッド
４１Ｃ：ヘッド取付孔
４４Ａ：長孔
５Ａ，５Ｂ，５Ｃ：張力増加手段
５１Ｃ：増加手段取付孔
５２Ｃ：弾性片
５３Ｃ：第１係合片
５４Ｃ：第２係合片
５５Ｃ：張力増加リブ
【００６０】
５６Ａ：軸
６Ｂ：コイルスプリング
７，７Ａ，７Ｂ，７Ｃ：ケース
７１Ｃ：ヘッド取付軸
７２Ｃ：第１ストッパ
７３Ｃ：増加手段取付軸
７４Ｃ：係合枠
７５Ｃ：第２ストッパ
Ｘ：ベルト
Ｔ：転写テープ
Ｒ：ローラ
【図１】
2014136309.tif 000004
【図２】
2014136309.tif 000005
【図３】
2014136309.tif 000006
【図４】
2014136309.tif 000007
【図５】
2014136309.tif 000008
【図６】
2014136309.tif 000009
【図７】
2014136309.tif 000010
【図８】
2014136309.tif 000011